(57)【要約】  携帯情報端末は、表示部１２を備えた第１の筐体と、第１の筐体と連結され、表示部１２が設けられた面とのなす角度である開閉角度が変更可能である第２の筐体と、第１および第２の筐体の開閉角度に応じて出力値が変化する角度検出部１１と、角度検出部１１の出力値が閾値以上の場合は、第１の表示処理を表示部１２に実行させ、出力値が閾値未満の場合には、第２の表示処理を表示部１２に実行させる制御部１０と、を有する。第１および第２の表示処理の一方は、表示部１２に表示されている情報を、他方の表示処理で表示した場合に比較して見え難くする処理を含む。
2011083782.tif 000002
【特許請求の範囲】
【請求項１】
表示部を備えた第１の筐体と、
前記第１の筐体と連結され、前記表示部が設けられた面とのなす角度である開閉角度が変更可能である第２の筐体と、
前記第１および第２の筐体の開閉操作に応じて出力値が変化する検出手段と、
前記検出手段の出力値が閾値以上の場合は、第１の表示処理を前記表示部に実行させ、出力値が閾値未満の場合には、第２の表示処理を前記表示部に実行させる制御部と、を有し、
前記第１および第２の表示処理の一方は、前記表示部に表示されている情報を、他方の表示処理で表示した場合に比較して見え難くする処理を含む、携帯情報端末。
【請求項２】
前記検出手段は、前記第１および第２の筐体の開閉角度を検出する開閉角度検出手段である、請求の範囲第１項に記載の携帯情報端末。
【請求項３】
前記第１および第２の筐体が取り得る開閉角度の範囲が複数の角度範囲に分割され、角度範囲毎に、見え難さの度合いが異なる表示処理の内容が設定されたテーブルを、さらに有し、
前記制御部は、前記テーブルを参照して、前記開閉角度検出手段で検出された開閉角度の値に対応する表示処理の内容を決定し、該決定した表示処理の内容に従って前記表示部の表示を制御する、請求の範囲第２項に記載の携帯情報端末。
【請求項４】
前記第１および第２の筐体の開閉速度を検出する開閉速度検出手段を、さらに有し、
前記制御部は、前記開閉角度検出手段の出力に基づいて、前記第１および第２の筐体の開閉角度が変化したことを検出すると、前記開閉速度検出手段の出力に基づいて、前記開閉角度の変化時の開閉速度を取得し、該開閉速度の取得値が別の閾値以上または別の閾値未満である場合に、前記テーブルを参照して、前記変化後の開閉角度の値に対応する表示処理の内容を決定する、請求の範囲第３項に記載の携帯情報端末。
【請求項５】
前記テーブルの表示処理の内容は、開閉角度が小さいほど見え難さの度合いが高くなるように設定されている、請求の範囲第３項または第４項に記載の携帯情報端末。
【請求項６】
前記テーブルの表示処理の内容は、開閉角度が大きいほど見え難さの度合いが高くなるように設定されている、請求の範囲第３項または第４項に記載の携帯情報端末。
【請求項７】
前記第１および第２の筐体の開閉速度を検出する開閉速度検出手段を、さらに有し、
前記制御部は、前記開閉角度検出手段の出力に基づいて、前記第１および第２の筐体が、第１の状態から、該第１の状態とは開閉角度が異なる第２の状態へ遷移する第１の状態遷移と、前記第２の状態から前記第１の状態へ遷移する第２の状態遷移のいずれかの遷移を検出すると、前記開閉速度検出手段の出力に基づいて、前記遷移時の開閉速度を取得し、該開閉速度の取得値と別の閾値を比較し、該比較結果に応じて、前記第１および第２の表示処理の切り替えを行う、請求の範囲第２項に記載の携帯情報端末。
【請求項８】
前記制御部は、前記第１の状態遷移を検出して、前記第１および第２の表示処理の切り替えを行った後は、該切り替えた表示処理による制御を、前記第２の状態遷移を検出するまで維持する、請求の範囲第７項に記載の携帯情報端末。
【請求項９】
前記制御部は、前記第２の状態遷移を検出して、前記第１および第２の表示処理の切り替えを行った後は、該切り替えた表示処理による制御を、前記第１の状態遷移を検出するまで維持する、請求の範囲第７項に記載の携帯情報端末。
【請求項１０】
前記第１および第２の筐体の開閉角度を検出する開閉角度検出手段と、
前記第１および第２の筐体が取り得る開閉速度の範囲が複数の速度範囲に分割され、速度範囲毎に、見え難さの度合いが異なる表示処理の内容が設定されたテーブルと、をさらに有し、
前記検出手段は、前記第１および第２の筐体の開閉速度を検出する開閉速度検出手段であり、
前記制御部は、前記開閉角度検出手段の出力に基づいて、前記第１および第２の筐体が、第１の状態から、該第１の状態とは開閉角度が異なる第２の状態へ遷移したことを検出すると、前記開閉速度検出手段の出力に基づいて、前記遷移時の開閉速度を取得し、該開閉速度の取得値に対応する表示処理の内容を前記テーブルから取得し、該取得した表示処理の内容に従って前記表示部の表示を制御する、請求の範囲第１項に記載の携帯情報端末。
【請求項１１】
前記制御部は、前記遷移を検出して表示処理の切り替えを行った後は、該切り替えた表示処理による制御を、前記遷移を再び検出するまで維持する、請求の範囲第１０項に記載の携帯情報端末。
【請求項１２】
前記テーブルの表示処理の内容は、開閉速度が速いほど見え難さの度合いが高くなるように設定されている、請求の範囲第１０項または第１１項に記載の携帯情報端末。
【請求項１３】
前記テーブルの表示処理の内容は、開閉速度が遅いほど見え難さの度合いが高くなるように設定されている、請求の範囲第１０項または第１１項に記載の携帯情報端末。
【請求項１４】
前記検出手段は、前記第１および第２の筐体の開閉速度を検出する開閉速度検出手段である、請求の範囲第１項に記載の携帯情報端末。
【請求項１５】
キーを備え、該キーが押下されている期間にわたって、前記第１および第２の筐体の開閉操作が行われたことを示す指示信号を出力する操作部を、さらに有し、
前記制御部は、前記操作部から前記指示信号が供給されている期間にわたって、前記開閉速度検出手段に前記第１および第２の筐体の開閉速度を検出させ、その検出した開閉速度の平均値と前記閾値を比較し、該比較結果に応じて前記第１および第２の表示処理の切り替えを行う、請求の範囲第１４項に記載の携帯情報端末。
【請求項１６】
前記第１および第２の筐体が取り得る開閉速度の範囲が複数の速度範囲に分割され、速度範囲毎に、見え難さの度合いが異なる表示処理の内容が設定されたテーブルを、さらに有し、
前記制御部は、前記開閉速度検出手段にて検出された開閉速度の平均値に対応する表示処理の内容を前記テーブルから取得し、該取得した表示処理の内容に従って前記表示部の表示を制御する、請求の範囲第１５項に記載の携帯情報端末。
【請求項１７】
前記テーブルの表示処理の内容は、開閉速度が速いほど見え難さの度合いが高くなるように設定されている、請求の範囲第１６項に記載の携帯情報端末。
【請求項１８】
前記テーブルの表示処理の内容は、開閉速度が遅いほど見え難さの度合いが高くなるように設定されている、請求の範囲第１６項に記載の携帯情報端末。
【請求項１９】
前記制御部は、前記表示処理の切り替えを行った後は、該切り替えた表示処理による制御を、前記キーが再び押されるまで維持する、請求の範囲第１５項から第１８項のいずれか１項に記載の携帯情報端末。
【請求項２０】
見え難さの度合いが異なる複数のレベルが設定されるとともに、レベル毎に、表示処理の内容が設定されたテーブルを、さらに有し、
前記制御部は、
前記検出手段の出力値が前記閾値以上である第１の状態から、前記検出手段の出力値が前記閾値未満である第２の状態への遷移を検出すると、前記テーブルに設定された、前記複数のレベルのうちの所定のレベルの表示処理の内容に従って、前記表示部の表示を制御し、該表示の制御の後は、前記遷移が検出される度に、前記テーブルを参照して、実行すべき表示処理の、前記見え難さの度合いを段階的に上げる、または下げる、請求の範囲第１項に記載の携帯情報端末。
【請求項２１】
前記第１および第２の筐体の開閉速度を検出する開閉速度検出手段を、さらに有し、
前記制御部は、前記遷移が検出される度に、前記開閉速度検出手段にて検出された前記遷移時の開閉速度に応じて、前記段階的に上げる、または下げる見え難さの度合いを増減する、請求の範囲第２０項に記載の携帯情報端末。
【請求項２２】
表示部を備えた第１の筐体と、該第１の筐体と連結され、前記表示部が設けられた面とのなす角度である開閉角度が変更可能である第２の筐体と、を有する携帯情報端末の画面表示制御方法であって、
前記第１および第２の筐体の開閉角度を検出し、該開閉角度の検出値が閾値以上の場合は、第１の表示処理を前記表示部に実行させ、該開閉角度の検出値が閾値未満の場合には、第２の表示処理を前記表示部に実行させ、前記第１および第２の表示処理の一方が、前記表示部に表示されている情報を、他方の表示処理で表示した場合に比較して見え難くする処理を含む、画面表示制御方法。
【請求項２３】
表示部を備えた第１の筐体と、該第１の筐体と連結され、前記表示部が設けられた面とのなす角度である開閉角度が変更可能である第２の筐体と、を有する携帯情報端末の画面表示制御方法であって、
前記第１および第２の筐体の開閉速度を検出し、該開閉速度の検出値が閾値以上の場合は、第１の表示処理を前記表示部に実行させ、該開閉速度の検出値が閾値未満の場合には、第２の表示処理を前記表示部に実行させ、前記第１および第２の表示処理の一方が、前記表示部に表示されている情報を、他方の表示処理で表示した場合に比較して見え難くする処理を含む、画面表示制御方法。
【発明の詳細な説明】
【技術分野】
【０００１】
本発明は、携帯電話機、ＰＤＡ（Personal Digital Assistant）、電子手帳などの表示画面を備えた携帯情報端末に関し、特に折り畳み式の携帯情報端末に関する。
【背景技術】
【０００２】
駅の構内や電車の中などで携帯情報端末を使用し、画面上に表示された情報を見る場合、その表示された情報が他人に覗き見される場合がある。表示される情報には、他人に知られたくない情報もあるため、覗き見を抑制するための機能を携帯情報端末に設けることは有効である。【０００３】
特許文献１は、他人による覗き見を抑制することができる携帯型情報処理装置を開示している。この携帯型情報処理装置は、表示手段と、この表示手段の表示領域のうちの隠蔽すべき領域の範囲（対象範囲）を決定する範囲決定手段と、表示領域のうち、範囲決定手段にて決定された範囲の表示情報を隠すための処理（マスク処理など）を行う表示制御手段とを有する。【０００４】
範囲決定手段は、表示手段の表示領域と同じ大きさの接触領域を備える。この接触領域上で、操作者が指等で範囲を指定すると、その指定された範囲の接触領域上における座標情報が、範囲決定手段から表示制御手段に供給される。表示制御手段は、座標情報に基づいて表示領域上における対象範囲を特定する。他人に見られたくない秘密情報が表示されている範囲を対象範囲として指定することで、その秘密情報を隠蔽することができる。
【先行技術文献】
【特許文献】
【０００５】
【特許文献１】特開２００９−１２２２７９号公報
【発明の概要】
【０００６】
しかしながら、特許文献１に記載の携帯型情報処理装置においては、他人に知られたくない秘密情報が表示されるたびに、その秘密情報が表示される対象範囲を接触領域上で決定する必要がある。このような対象範囲の決定操作は、操作者にとって非常に煩わしい。
【０００７】
また、上記の対象範囲の決定操作は、一般的な操作ではないため、操作者は、その操作手順を覚える必要がある。このため、そのような操作技術に慣れていない人にとっては、操作性の面で、非常に不便なものになってしまう。
【０００８】
本発明の目的は、簡単な操作で覗き見を抑制するための処理を実行することができる携帯情報端末および画面表示制御方法を提供することである。
【０００９】
上記目的を達成するため、本発明の携帯情報端末は、
表示部を備えた第１の筐体と、
前記第１の筐体と連結され、前記表示部が設けられた面とのなす角度である開閉角度が変更可能である第２の筐体と、
前記第１および第２の筐体の開閉操作に応じて出力値が変化する検出手段と、
前記検出手段の出力値が閾値以上の場合は、第１の表示処理を前記表示部に実行させ、出力値が閾値未満の場合には、第２の表示処理を前記表示部に実行させる制御部と、を有し、
前記第１および第２の表示処理の一方は、前記表示部に表示されている情報を、他方の表示処理で表示した場合に比較して見え難くする処理を含む。
【００１０】
本発明の一態様による画面表示制御方法は、
表示部を備えた第１の筐体と、該第１の筐体と連結され、前記表示部が設けられた面とのなす角度である開閉角度が変更可能である第２の筐体と、を有する携帯情報端末の画面表示制御方法であって、
前記第１および第２の筐体の開閉角度を検出し、該開閉角度の検出値が閾値以上の場合は、第１の表示処理を前記表示部に実行させ、該開閉角度の検出値が閾値未満の場合には、第２の表示処理を前記表示部に実行させ、前記第１および第２の表示処理の一方が、前記表示部に表示されている情報を、他方の表示処理で表示した場合に比較して見え難くする処理を含む。
【００１１】
本発明の別の態様による画面表示制御方法は、
表示部を備えた第１の筐体と、該第１の筐体と連結され、前記表示部が設けられた面とのなす角度である開閉角度が変更可能である第２の筐体と、を有する携帯情報端末の画面表示制御方法であって、
前記第１および第２の筐体の開閉速度を検出し、該開閉速度の検出値が閾値以上の場合は、第１の表示処理を前記表示部に実行させ、該開閉速度の検出値が閾値未満の場合には、第２の表示処理を前記表示部に実行させ、前記第１および第２の表示処理の一方が、前記表示部に表示されている情報を、他方の表示処理で表示した場合に比較して見え難くする処理を含む。
【図面の簡単な説明】
【００１２】
【図１】本発明の第１の実施形態である携帯情報端末の構成を示すブロック図である。
【図２】本発明の第１の実施形態である携帯情報端末の外観を示す模式図である。
【図３】図１に示す携帯情報端末にて行われる表示の見え難さの制御の一手順を示すフローチャートである。
【図４】本発明の第２の実施形態である携帯情報端末の構成を示すブロック図である。
【図５】図４に示す携帯情報端末にて行われる表示の見え難さの制御の一手順を示すフローチャートである。
【図６】本発明の第３の実施形態である携帯情報端末の構成を示すブロック図である。
【図７】図６に示す携帯情報端末にて用いる開閉角度／表示処理レベル対応テーブルの一例を示す図である。
【図８】図６に示す携帯情報端末にて行われる表示の見え難さの制御の一手順を示すフローチャートである。
【図９】本発明の第４の実施形態である携帯情報端末の構成を示すブロック図である。
【図１０】図９に示す携帯情報端末にて行われる表示の見え難さの制御の一手順を示すフローチャートである。
【図１１】本発明の第５の実施形態である携帯情報端末の構成を示すブロック図である。
【図１２】図１１に示す携帯情報端末にて用いる開閉速度／表示処理レベル対応テーブルの一例を示す図である。
【図１３】図１１に示す携帯情報端末にて行われる表示の見え難さの制御の一手順を示すフローチャートである。
【図１４】本発明の第６の実施形態である携帯情報端末の構成を示すブロック図である。
【図１５】図１４に示す携帯情報端末にて行われる表示の見え難さの制御の一手順を示すフローチャートである。
【図１６】本発明の第７の実施形態である携帯情報端末の構成を示すブロック図である。
【図１７】図１６に示す携帯情報端末にて行われる表示の見え難さの制御の一手順を示すフローチャートである。
【符号の説明】
【００１３】
１０  制御部
１１  角度検出部
１２  表示部
【発明を実施するための形態】
【００１４】
（第１の実施形態）
図１は、本発明の第１の実施形態である携帯情報端末の構成を示すブロック図、図２は、その携帯情報端末の外観を示す模式図である。
【００１５】
本実施形態の携帯情報端末は、折り畳み式の携帯情報端末（例えば、ＰＤＡ、電子手帳、携帯電話機等）であって、図２に示すように、表示部３を備えた筐体１と、筐体１と連結部４を介して連結された筐体２とを有する。表示部３は、例えば液晶パネルに代表されるフラットパネルを備えた表示装置である。
【００１６】
連結部４は、筐体１の表示部２が形成された面と、筐体２の、表示部２と対向する面とのなす角度である開閉角度を無段階もしくは段階的に変えることが可能であり、かつ、任意の開閉角度で筐体１、２を保持することが可能である。連結部４は、例えばヒンジより構成される。
【００１７】
また、本実施形態の携帯情報端末は、図１に示すように、筐体１、２の開閉角度を検出する角度検出部１１と、表示部３における情報の表示を制御するとともに、角度検出部１１で検出された開閉角度に応じて、表示の見え難さを制御する制御部１０とを有する。制御部１０は、筐体１、２のいずれかの筐体内に設けられる。
【００１８】
角度検出部１１は、筐体１、２の開閉操作に応じて出力値が変化する検出手段である。角度検出部１１は、筐体１、２の開閉角度が予め設定された角度を超えた場合にその旨を示す信号を出力する開閉センサや、筐体１、２の開閉角度を検出する角度検出センサ（例えば、ヒンジの軸にとり付けられるロータリーエンコーダー等）などより構成される。
【００１９】
制御部１０は、角度検出部１１の出力信号に基づいて、筐体１、２の開閉角度が所定の角度以上であるか否かを判定し、その判定結果に応じて、表示部３における表示の見え難さを制御する。ここで、表示の見え難さの制御は、第１の表示処理と、この第１の表示処理に比較して、表示情報（文字、写真、図形、表など）を見え難くするための第２の処理との切り替え制御である。
【００２０】
第１の表示処理は、通常の表示処理である。第２の処理は、例えば、画面の明るさを低下させる処理、表示情報のサイズを小さくする処理、表示情報を隠蔽する処理などであり、これら処理のうちのいずれか１つの処理または２つ以上の処理を組み合わせた処理を第２の処理として用いる。表示情報の隠蔽処理は、例えば、文字を別の文字に変換する処理、文字を非表示にする処理、写真、図形、表などを別の図形（アイコン）に変換する処理、全画面を別の画面に変える処理などである。
【００２１】
図３に、表示の見え難さの制御の一手順を示す。以下、図１〜図３を参照して、制御部１０による表示の見え難さの制御を説明する。なお、図３に示す手順では、角度検出部１１として、筐体１、２の開閉角度を検出する角度検出センサが用いられている。
【００２２】
角度検出部１１は、一定時間間隔で、筐体１、２の開閉角度を検出し、その検出値を制御部１０へ供給する（ステップＳ１０）。制御部１０は、角度検出部１１からの開閉角度の検出値と閾値を比較する（ステップＳ１１）。検出値が閾値以上である場合は、制御部１０は、第１の表示処理（通常の表示処理）を表示部３に実行させる（ステップＳ１２）。検出値が閾値未満である場合は、制御部１０は、第２の表示処理を表示部３に実行させる（ステップＳ１３）。
【００２３】
以上の制御手順が繰り返し実行される。この制御によれば、開閉操作といった簡単な操作によって覗き見を抑制する処理を実行することができる。例えば、操作者が、電車の中で、本実施形態の携帯情報端末を使用して秘匿性の高い情報を閲覧している場合において、操作者が、覗き見を察知し、開閉角度が閾値未満になるように筐体１、２を閉じると、表示を見難くするための第２の表示処理が実行される。第２の表示処理が実行されると、表示された情報は、通常時の表示処理に比べて見え難くなり、それにより、他人による覗き見を抑制することが可能である。
【００２４】
また、筐体１、２を閉じるという行為は、覗き見を察知した際に操作者が行う自然な操作であり、この自然な操作を利用して覗き見を抑制する処理を実行する。これにより、操作者に、覗き見を抑制するための操作を意識させることなく、覗き見を察知した際に、自然な操作によって、覗き見を抑制する処理を実行することができる。
【００２５】
開閉角度の閾値は、任意の値を設定することが可能であり、第２の表示処理が実行された場合の表示内容の見え難さなどを考慮して適宜に設定する。
【００２６】
なお、角度検出部１１として開閉センサを用いた場合は、図３に示した制御手順とは異なり、制御部１０は、角度検出部１１の出力信号に基づいて、筐体１、２の開閉角度が所定の角度以上であるか否かを判定する。そして、開閉角度が所定の角度以上である場合は、制御部１０は、第１の表示処理を表示部３に実行させ、開閉角度が所定の角度未満である場合は、制御部１０は、第２の表示処理を表示部３に実行させる。この場合も、図３に示した制御手順と同様な作用効果を奏する。
【００２７】
また、開閉角度が大きいほど覗き見され易くなるという観点から、上述した見え難さの制御において、開閉角度が閾値以上である場合（または開閉角度が所定の角度以上である場合）に、第２の表示処理を実行し、開閉角度が閾値未満である場合（または開閉角度が所定の角度未満である場合）に、通常の表示処理を実行してもよい。この場合も、開閉操作といった簡単な操作によって覗き見を抑制する処理を実行することができる。
【００２８】
さらに、図３に示した制御手順において、ステップＳ１３で第２の表示処理が行われた後、制御部１０は、角度検出部１１の出力信号に基づいて、開閉角度が閾値以上（または開閉角度が所定の角度以上）となり、その後、開閉角度が閾値未満（または開閉角度が所定の角度未満）になるといった一連の開閉操作の変化を検出するまで、第２の表示処理による表示を保持してもよい。その一連の開閉操作の変化を検出した後、制御部１０は、第１の表示処理を表示部３に実行させる。
【００２９】
この手順によれば、開閉角度が閾値未満（または所定の角度未満）になるように筐体１、２を閉じると、第２の表示処理による画面が表示され、その後、開閉角度を閾値以上（または所定の角度以上）になるように筐体１、２を開いた状態にしても、第２の表示処理による画面は維持される。さらに、続けて開閉角度が閾値未満（または所定の角度未満）になるように筐体１、２を閉じれば、第１の表示処理による画面に切り替わる。
【００３０】
（第２の実施形態）
図４は、本発明の第２の実施形態である携帯情報端末の構成を示すブロック図である。
【００３１】
本実施形態の携帯情報端末は、図２に示した構成を有する折り畳み式の携帯情報端末であって、図４に示すように、制御部１０、角度検出部１１、表示部１２、および開閉操作に応じて出力値が変化する開閉速度検出部１３を有する。角度検出部１１および表示部１２は第１の実施形態のものと同じである。
【００３２】
開閉速度検出部１３は、筐体１、２の開閉速度を検出するものであって、例えば、筐体１、２の一方に設けられた加速度センサよりなる。この加速度センサは、開閉方向（例えば、筐体の面上のある点に関し、完全に閉じた状態での位置と、完全に開いた状態における位置とを直線で結んだ場合の、その直線に沿った方向）の加速度を検出する。
【００３３】
本実施形態では、制御部１０は、角度検出部１１の出力信号に基づいて、筐体１、２の開閉角度が閾値以上（または所定の角度以上）である状態Ａから開閉角度が閾値未満（または所定の角度未満）である状態Ｂへの遷移が生じたか否か、また、その逆の状態Ｂから状態Ａへの遷移が生じたか否かを判定する。そして、状態Ａから状態Ｂへの遷移が生じた場合、または、状態Ａから状態Ｂへの遷移が生じた場合には、制御部１０は、その遷移時における開閉速度検出部１３の出力値（開閉速度）を閾値と比較し、その比較結果に応じて、表示部３における表示の見え難さの制御（第１および第２の表示処理の切り替え）を行う。
【００３４】
図５に、表示の見え難さの制御の一手順を示す。以下、図４および図５を参照して、制御部１０による表示の見え難さの制御を説明する。なお、図５に示す手順では、角度検出部１１として角度検出センサが用いられている。
【００３５】
角度検出部１１が、一定時間間隔で、筐体１、２の開閉角度を検出するととともに、開閉速度検出部１３が、開閉時の開閉速度を検出する（ステップＳ２０）。制御部１０は、角度検出部１１から供給される開閉角度の検出値（時系列データ）に基づいて、状態Ａから状態Ｂへの遷移と状態Ｂから状態Ａへの遷移のいずれかの遷移が生じた否かを判定する（ステップＳ２１）。
【００３６】
状態Ａから状態Ｂへの遷移が生じた場合、制御部１０は、その遷移の間に開閉速度検出部１３で検出された加速度の平均値からその遷移時の開閉速度を求め、その求めた開閉速度が閾値以上であるか否かを判定する（ステップＳ２２）。開閉速度が閾値以上である場合は、制御部１０は、第２の表示処理を表示部３に実行させる（ステップＳ２３）。開閉速度が閾値未満である場合は、制御部１０は、第１の表示処理（通常の表示処理）を表示部３に実行させる（ステップＳ２４）。
【００３７】
状態Ｂから状態Ａへの遷移が生じた場合、制御部１０は、その遷移の間に開閉速度検出部１３で検出された加速度の平均値からその遷移時の開閉速度を求め、その求めた開閉速度が閾値以上であるか否かを判定する（ステップＳ２５）。開閉速度が閾値以上である場合は、制御部１０は、第１の表示処理を表示部３に実行させる（ステップＳ２６）。開閉速度が閾値未満である場合は、制御部１０は、第２の表示処理を表示部３に実行させる（ステップＳ２７）。
【００３８】
ステップＳ２１において、いずれの遷移も検出されない場合は、現在の表示処理を維持する（ステップＳ２８）。
【００３９】
以上の制御手順が繰り返し実行される。２回目以降では、ステップＳ２４にて、第１の表示処理が継続され、また、ステップＳ２７にて、第２の表示処理が継続される。
【００４０】
本実施形態の形態情報端末においても、開閉操作といった簡単な操作によって覗き見を抑制する処理を実行することができる。ただし、第２の表示処理を実行するためには、状態Ａから状態Ｂへ遷移し、かつ、開閉速度が閾値以上であるという条件を満たす必要がある。
【００４１】
例えば、操作者が、電車の中で、本実施形態の携帯情報端末を使用して秘匿性の高い情報を閲覧している場合において、操作者が、覗き見を察知し、開閉角度が閾値未満になるように筐体１、２を閾値以上の開閉速度で閉じると、表示を見難くするための第２の表示処理が実行される。第２の表示処理が実行されると、表示された情報は、通常時の表示に比べて見え難くなり、それにより、他人による覗き見を抑制することが可能である。
【００４２】
なお、ステップＳ２３で第２の表示処理が実行された後は、開閉角度が閾値以上となるように筐体１、２を閾値以上の開閉速度で閉じる操作をしない限り、第２の表示処理が維持される。すなわち、ステップＳ２３の後は、閾値以上の開閉速度で開閉操作をしない限り、開閉角度がどのような角度に設定されても、第２の表示処理が維持される。
【００４３】
本実施形態の携帯情報端末において、筐体１、２を開閉操作する場合、一般的に、筐体１、２の開閉方向における加速度は同じである場合が多い。これを利用し、装置コストの低減の観点から、本実施形態では、開閉速度検出部１３を筐体１、２の一方に設けられた１個の加速度センサにより構成している。
【００４４】
なお、開閉速度検出部１３は、筐体１、２のそれぞれに設けた加速度センサから構成してもよい。この場合は、一方の加速度センサで検出された加速度の値と他方の加速度センサで検出された加速度の値との平均値を求め、その平均値が閾値を超えたか否かを判定する。この開閉速度の判定の精度は、１個の加速度センサを用いた場合の開閉速度の判定よりも高い。
【００４５】
また、図５に示した制御手順におけるステップＳ２１の分岐「Ａ→Ｂ」および分岐「Ｂ→Ａ」をそれぞれ分岐「Ｂ→Ａ」および分岐「Ａ→Ｂ」に変更してもよい。この場合は、第２の表示処理を実行するためには、状態Ｂから状態Ａへ遷移し、かつ、その遷移時の開閉速度が閾値以上であるという条件を満たす必要がある。
【００４６】
さらに、図５に示した制御手順において、ステップＳ２２、Ｓ２５の「速度が閾値以上？」の判定をともに「速度が閾値未満？」の判定に変えてもよい。この場合は、第２の表示処理を実行するためには、状態Ａから状態Ｂへ遷移し、かつ、その遷移時の開閉速度が閾値未満であるという条件を満たす必要がある。
【００４７】
上述した「速度が閾値以上？」の判定から「速度が閾値未満？」の判定への変更を行ったものにおいて、ステップＳ２１の分岐「Ａ→Ｂ」および分岐「Ｂ→Ａ」をそれぞれ分岐「Ｂ→Ａ」および分岐「Ａ→Ｂ」に変更してもよい。この場合は、第２の表示処理を実行するためには、状態Ｂから状態Ａへ遷移し、かつ、その遷移時の開閉速度が閾値未満であるという条件を満たす必要がある。
【００４８】
（第３の実施形態）
図６は、本発明の第３の実施形態である携帯情報端末の構成を示すブロック図である。
【００４９】
本実施形態の携帯情報端末は、図２に示した構成を有する折り畳み式の携帯情報端末であって、図６に示すように、制御部１０、角度検出部１１、表示部１２および記憶部１４を有する。角度検出部１１および表示部１２は第１の実施形態のものと同じである。
【００５０】
記憶部１４は、ハードディスクや半導体メモリ等の記憶装置である。開閉角度と見え難さの表示処理レベルとの対応関係を示す開閉角度／表示処理レベル対応テーブル１４ａが予め記憶部１４に格納されている。
【００５１】
図７に、開閉角度／表示処理レベル対応テーブル１４ａの一例を示す。この開閉角度／表示処理レベル対応テーブル１４ａでは、見え難さのレベルとしてＬ０〜Ｌ５の５つのレベルが開閉角度範囲に応じて設定されている。見え難さのレベルは、表示部３に表示された情報の見え難さの度合いを表すものであって、Ｌ０が最も低レベル（ここでは、通常表示を意味する）を示し、Ｌ５が最も高いレベルを示す。
【００５２】
制御部１０は、開閉角度／表示処理レベル対応テーブル１４ａを参照し、角度検出部１１にて検出される開閉角度に応じたレベルに基づいて、表示の見え難さの制御を行う。
【００５３】
図８に、表示の見え難さの制御の一手順を示す。以下、図６〜図８を参照して、制御部１０による表示の見え難さの制御を説明する。なお、図８に示す手順では、角度検出部１１として角度検出センサが用いられている。
【００５４】
角度検出部１１が、筐体１、２の開閉角度を検出する（ステップＳ３０）。制御部１０は、今回検出した開閉角度が前回検出した開閉角度と異なる場合に、開閉角度が変化したと判定する（ステップＳ３１）。開閉角度が変化した場合は、制御部１０は、開閉角度／表示処理レベル対応テーブル１４ａを参照して、角度検出部１１で検出した開閉角度（変化後の開閉角度）から見え難さのレベルを決定する（ステップＳ３２）。そして、制御部１０は、決定したレベルに対応する表示処理を表示部３にて実行させる（ステップＳ３３）。
【００５５】
具体的には、開閉角度がθ１未満のときに、レベルＬ５に対応する表示処理（表示情報を別の表示情報に変更する処理）が実行される。開閉角度がθ１以上、θ２（＞θ１）未満のときに、レベルＬ４に対応する表示処理（事前登録した文字をイニシャルに置き換え、また、事前登録した写真、図形、表をアイコンに置き換える処理）が実行される。
【００５６】
開閉角度がθ２以上、θ３（＞θ２）未満のときに、レベルＬ３に対応する表示処理（事前登録した文字、写真、図形、表を塗り潰す処理）が実行される。開閉角度がθ３以上、θ４（＞θ３）未満のときに、レベルＬ２に対応する表示処理（文字サイズを縮小し、文字色を変更する処理）が実行される。
【００５７】
開閉角度がθ４以上、θ５（＞θ４）未満のときに、レベルＬ１に対応する表示処理（画面を暗くする処理）が実行される。開閉角度がθ５以上、θmax（＞θ５）未満のときに、レベルＬ０に対応する処理（通常の表示処理）が実行される。θmaxは、筐体１、２を完全に開いたときの角度である。
【００５８】
なお、事前登録した文字、写真、図形、表などの事前登録情報は記憶部１４に格納されており、制御部１０は、レベルＬ３やレベルＬ４の表示処理を行う場合は、表示部３に表示されている情報の中に事前登録情報が存在するか否かを判定する。事前登録情報が存在する場合は、その事前登録情報について、決定したレベルに対応する処理を実行する。
【００５９】
本実施形態の携帯情報端末によれば、開閉操作といった簡単な操作によって覗き見を抑制する処理を実行することができるとともに、開閉角度に応じて、表示の見え難さを変更することができる。
【００６０】
例えば、他人による覗き見を完全に防止したい場合は、操作者は、筐体１、２の開閉角度をθ１未満に設定すれば、表示内容が別の表示内容（他人に知られても良い情報）に切り替わる。ただし、この場合は、他人だけでなく、操作者自身も、別の表示内容を見ることになる。
【００６１】
また、秘匿性の高い情報を表示しつつ、他人による覗き見を抑制させたい場合は、操作者は、筐体１、２の開閉角度をθ３以上、θ５未満の範囲に設定すればよい。この場合は、文字サイズの縮小や文字色の変更が実施される、または、画面の輝度が低下する。
【００６２】
このように、操作者は、開閉操作によって表示の見え難さのレベルを簡単に切り換えることができる。
【００６３】
θ１〜θ５は、筐体１、２が取り得る開閉角度の範囲内において、適宜に設定することができる。また、レベルＬ０〜Ｌ５およびその表示処理内容も、開閉角度の範囲に応じて適宜に設定することができる。
【００６４】
また、図７に示した開閉角度／表示処理レベル対応テーブル１４ａは、開閉角度が小さいほど、見え難さレベルが高くなるようになっているが、これとは反対に、開閉角度が大きいほど、見え難さレベルが高くなるように設定してもよい。
【００６５】
（第４の実施形態）
図９は、本発明の第４の実施形態である携帯情報端末の構成を示すブロック図である。
【００６６】
本実施形態の携帯情報端末は、図２に示した構成を有する折り畳み式の携帯情報端末であって、図９に示すように、制御部１０、角度検出部１１、表示部１２、開閉速度検出部１３および記憶部１４を有する。本実施形態の携帯情報端末は、制御部１０による表示の見え難さのレベル切り替えの手順が一部異なる以外は、第３の実施形態のものと同じ構成である。
【００６７】
図１０に、本実施形態の携帯情報端末における表示の見え難さのレベル切り替えの手順の一例を示す。図１０に示すステップＳ３１〜Ｓ３３は、図８の制御手順と同じである。本実施形態の携帯情報端末においては、ステップＳ３０にて、開閉角度および開閉速度を検出する。さらに、角度変化の検出ステップＳ３１の後に、その角度変化の際の開閉速度を検出し、その検出した開閉速度が閾値以上であるか否かを判定する（ステップＳ３４）。検出した開閉速度が閾値以上である場合にのみ、ステップＳ３２が実施される。
【００６８】
上記の制御手順によれば、操作者は、閾値以上（または閾値以下）の開閉速度で開閉角度を変化させた場合にのみ、表示の見え難さのレベルを切り替えることができ、それ以外の場合は、開閉角度を変化させても、現在設定されている表示処理が維持される。
【００６９】
なお、図１０に示したステップＳ３４を、検出した開閉速度が閾値以下であるか否かを判定するステップに変更してもよい。この場合は、操作者は、閾値以下の開閉速度で開閉角度を変化させた場合にのみ、表示の見え難さのレベルを切り替えることができ、それ以外の場合は、開閉角度を変化させても、現在設定されている表示処理が維持される。
【００７０】
（第５の実施形態）
図１１は、本発明の第５の実施形態である携帯情報端末の構成を示すブロック図である。
【００７１】
本実施形態の携帯情報端末は、図２に示した構成を有する折り畳み式の携帯情報端末であって、図１１に示すように、制御部１０、角度検出部１１、表示部１２、開閉速度検出部１３および記憶部１４を有する。角度検出部１１、表示部１２および開閉速度検出部１３は第２の実施形態のものと同じである。記憶部１４は、ハードディスクや半導体メモリ等の記憶装置である。開閉速度と見え難さの表示処理レベルとの対応関係を示す開閉速度／表示処理レベル対応テーブル１４ｂが予め記憶部１４に格納されている。
【００７２】
図１２に、開閉速度／表示処理レベル対応テーブル１４ｂの一例を示す。この開閉速度／表示処理レベル対応テーブル１４ｂでは、見え難さのレベルとしてＬ０〜Ｌ５の５つのレベルが開閉速度範囲に応じて設定されている。見え難さのレベルは、表示部３に表示された情報の見え難さの度合いを表すものであって、Ｌ０が最も低レベル（ここでは、通常表示を意味する）を示し、Ｌ５が最も高いレベルを示す。なお、各レベルと処理内容との関係は第３の実施形態で説明した通りである。
【００７３】
制御部１０は、角度検出部１１の出力信号に基づいて、筐体１、２の開閉角度が閾値以上（または所定の角度以上）である状態Ａから開閉角度が閾値未満（または所定の角度未満）である状態Ｂへの遷移が生じたか否かを判定する。そして、状態Ａから状態Ｂへの遷移が生じた場合は、制御部１０は、その遷移時における開閉速度検出部１３の出力値（開閉速度）を閾値と比較し、その比較結果に応じて、表示部３における表示の見え難さの制御を行う。
【００７４】
図１３に、表示の見え難さの制御の一手順を示す。以下、図１１から図１３を参照して、制御部１０による表示の見え難さの制御を説明する。なお、図１３に示す手順では、角度検出部１１として角度検出センサが用いられている。
【００７５】
角度検出部１１が、一定時間間隔で、筐体１、２の開閉角度を検出するととともに、開閉速度検出部１３が、開閉時の開閉速度を検出する（ステップＳ４０）。制御部１０は、角度検出部１１から供給される開閉角度の検出値（時系列データ）に基づいて、状態Ａから状態Ｂへの遷移が生じた否かを判定する（ステップＳ４１）。
【００７６】
状態Ａから状態Ｂへの遷移が生じた場合、制御部１０は、その遷移の間に開閉速度検出部１３で検出された加速度の平均値からその遷移時の開閉速度を求め、開閉速度／表示処理レベル対応テーブル１４ｂを参照して、その求めた開閉速度に対応するレベルを決定する（ステップＳ４２）。そして、制御部１０は、決定したレベルに対応する表示処理を表示部３にて実行させる（ステップＳ４３）。
【００７７】
具体的には、開閉速度がＶ１未満のときに、レベルＬ０に対応する処理（通常の表示処理）が実行される。開閉速度がＶ１以上、Ｖ２（＞Ｖ１）未満のとき、レベルＬ１に対応する表示処理（画面を暗くする処理）が実行される。
【００７８】
開閉速度がＶ２以上、Ｖ３（＞Ｖ２）未満のとき、レベルＬ２に対応する表示処理（文字サイズを縮小し、文字色を変更する処理）が実行される。開閉速度がＶ３以上、Ｖ４（＞Ｖ３）未満のとき、レベルＬ３に対応する表示処理（事前登録した文字、写真、図形、表を塗り潰す処理）が実行される。
【００７９】
開閉速度がＶ４以上、Ｖ５（＞Ｖ４）未満のとき、レベルＬ４に対応する表示処理（事前登録した文字をイニシャルに置き換え、また、事前登録した写真、図形、表をアイコンに置き換える処理）が実行される。開閉速度がＶ５以上のとき、レベルＬ５に対応する表示処理（表示情報を別の表示情報に変更する処理）が実行される。
【００８０】
制御部１０は、状態Ａから状態Ｂへの遷移を検出して、表示処理の切り替えを行った後は、該切り替えた表示処理による制御を、状態Ａから状態Ｂへの遷移を再び検出するまで維持する（ステップＳ４４）。
【００８１】
本実施形態の携帯情報端末によれば、開閉操作といった簡単な操作によって覗き見を抑制する処理を実行することができるとともに、開閉速度に応じて、表示の見え難さを変更することができる。
【００８２】
例えば、他人による覗き見を完全に防止したい場合は、操作者は、Ｖ５以上の開閉速度で筐体１、２の開閉角度を状態Ａから状態Ｂへ遷移させることで、表示内容が別の表示内容（他人に知られても良い情報）に切り替わる。ただし、この場合は、他人だけでなく、操作者自身も、別の表示内容を見ることになる。
【００８３】
また、秘匿性の高い情報を表示しつつ、他人による覗き見を抑制させたい場合は、操作者は、Ｖ１以上、Ｖ３未満の開閉速度で筐体１、２の開閉角度を状態Ａから状態Ｂへ遷移させる。この場合は、文字サイズの縮小や文字色の変更が実施される、または、画面の輝度が低下する。
【００８４】
このように、操作者は、開閉操作によって表示の見え難さのレベルを簡単に切り換えることができる。
【００８５】
開閉速度Ｖ１〜Ｖ５は、筐体１、２の開閉角度の範囲内において、操作者が実施し得る開閉速度の範囲で適宜に設定することができる。また、レベルＬ０〜Ｌ５およびその表示処理内容も、開閉速度の範囲に応じて適宜に設定することができる。
【００８６】
また、図１２に示した開閉速度／表示処理レベル対応テーブル１４ｂは、開閉速度が速いほど、見え難さレベルが高くなるようになっているが、これとは反対に、開閉速度が遅いほど、見え難さレベルが高くなるように設定してもよい。
【００８７】
また、図１３に示した制御手順では、ステップＳ４１で状態Ａから状態Ｂへの遷移を検出すると、開閉速度／表示処理レベル対応テーブル１４ｂを参照して開閉速度に応じたレベルを決定しているが、これに代えて、以下のような処理を実行してもよい。
【００８８】
制御部１０は、状態Ａから状態Ｂへの遷移を検出すると、開閉速度／表示処理レベル対応テーブル１４ｂに設定されたレベルＬ０〜Ｌ５のうちの所定のレベル（例えばＬ１）の表示処理の内容に従って、表示部１２の表示を制御し、該表示の制御の後は、状態Ａから状態Ｂへの遷移が検出される度に、開閉速度／表示処理レベル対応テーブル１４ｂを参照して、実行すべき表示処理の、見え難さの度合い（レベル）を段階的に上げる、または下げる。ただし、レベルＬ５まで上げた後に、ステップＳ４１で状態Ａから状態Ｂへの遷移が再び検出された場合は、レベルをＬ５からＬ０へ移行する。反対に、レベルＬ０まで下げた後に、ステップＳ４１で状態Ａから状態Ｂへの遷移が再び検出された場合は、レベルをＬ０からＬ５へ移行する。
【００８９】
上記の場合、開閉速度／表示処理レベル対応テーブル１４ｂは、見え難さの度合いが異なる複数のレベルが設定されるとともに、レベル毎に、表示処理の内容が設定されたテーブルとしてもよい。
【００９０】
また、制御部１０は、状態Ａから状態Ｂへの遷移が検出される度に、開閉速度検出部１３にて検出された遷移時の開閉速度に応じて、段階的に上げる、または下げる見え難さの度合いを増減してもよい。
【００９１】
（第６の実施形態）
図１４は、本発明の第６の実施形態である携帯情報端末の構成を示すブロック図である。
【００９２】
本実施形態の携帯情報端末は、図２に示した構成を有する折り畳み式の携帯情報端末であって、図１４に示すように、制御部１０、表示部１２、開閉速度検出部１３および操作部１５を有する。
【００９３】
操作部１５は、筐体１、２のいずれかに設けられた、操作ボタン等のハードキーを含む。ハードキーが押下されている期間にわたって、操作部１５は、筐体１、２の開閉操作が行われたことを示す指示信号を制御部１０へ出力する。ハードキーは、開閉操作時に押下することができるのであれば、どのような位置に設けても良い。ただし、操作性の面を考慮すると、端末把持位置にハードキーを設けることが望ましい。
【００９４】
操作部１５が押下されている期間（指示信号を受信している期間）にわたって、制御部１０は、開閉速度検出指示信号を開閉速度検出部１３に供給する。なお、操作部１５が押下されている期間以外は、開閉速度検出部１３への開閉速度検出指示信号の供給は行われない。
【００９５】
開閉速度検出部１３は、筐体１、２のいずれかに設けられた１個の加速度センサよりなり、開閉速度検出指示信号が供給されている期間において、加速度センサの出力が制御部１０へ供給される。
【００９６】
制御部１０は、操作部１５が押下されている期間を開閉操作が行われている期間と判断して、開閉速度検出部１３にて検出される速度を開閉速度と見做す。制御部１０は、操作部１５が押下されている期間において、開閉速度検出部１３で検出された速度の平均値を求め、この速度の平均値に応じて、表示部３における表示の見え難さの制御を行う。
【００９７】
図１５に、表示の見え難さの制御の一手順を示す。以下、図１４および図１５を参照して、制御部１０による表示の見え難さの制御を説明する。
【００９８】
制御部１０は、操作部１５が押下された否かを判定する（ステップＳ５０）。操作部１５が押下されると、制御部１０は、その押下されている期間において、開閉速度検出部１３にて開閉速度を検出させ、その開閉速度の平均値を求める（ステップＳ５１）。
【００９９】
次に、制御部１０は、ステップＳ５１で求めた開閉速度の平均値が閾値以上であるか否かを判定する（ステップＳ５２）。開閉速度の平均値が閾値以上である場合は、制御部１０は、第２の表示処理を表示部３にて実行させる（ステップＳ５３）。開閉速度の平均値が閾値未満である場合は、制御部１０は、第１の表示処理を表示部３にて実行させる（ステップＳ５４）。第１および第２の表示処理は、第１の実施形態で説明したとおりである。
【０１００】
上記の表示制御によれば、例えば、操作者は、操作部１５を押下して、開閉速度の平均値が閾値以上となるような速度で筐体１、２を開閉することで、第２の表示処理を実行することができる。第２の表示処理が実行されると、表示された情報は、通常時の表示処理に比べて見え難くなり、それにより、他人による覗き見を抑制することが可能である。第１の表示処理を実行する場合は、操作者は、操作部１５を押下して、開閉速度の平均値が閾値未満となるような速度で筐体１、２を開閉する。
【０１０１】
図１５の手順において、開閉速度の平均値が閾値以上の場合に第１の表示処理を実行し、開閉速度の平均値が閾値未満の場合に、第２の表示処理を実行するようにしてもよい。この場合は、操作者は、操作部１５を押下して、開閉速度の平均値が閾値未満となるような速度で筐体１、２を開閉することで、第２の表示処理を実行することができる。第１の表示処理を実行する場合は、操作者は、操作部１５を押下して、開閉速度の平均値が閾値以上となるような速度で筐体１、２を開閉する。
【０１０２】
また、本実施形態の携帯情報端末において、操作部１５を削除してもよい。すなわち、制御部１０は、開閉速度検出部１３の出力を監視し、一定時間内の出力値の平均値が閾値以上である場合に、第２の表示処理を実行させ、一定時間内の出力値の平均値が閾値未満である場合に、第１の表示処理を実行させる。
【０１０３】
上記の場合、制御部１０は、一定時間内の出力値の平均値が閾値未満である場合に、第２の表示処理を実行させ、一定時間内の出力値の平均値が閾値以上である場合に、第１の表示処理を実行させてもよい。
【０１０４】
（第７の実施形態）
図１６は、本発明の第７の実施形態である携帯情報端末の構成を示すブロック図である。
【０１０５】
本実施形態の携帯情報端末は、図２に示した構成を有する折り畳み式の携帯情報端末であって、図１６に示すように、制御部１０、表示部１２、開閉速度検出部１３、記憶部１４および操作部１５を有する。
【０１０６】
記憶部１４は、第５の実施形態で説明したものと同じである。開閉速度と見え難さの表示処理レベルとの対応関係を示す開閉速度／表示処理レベル対応テーブル１４ｂが予め記憶部１４に格納されている。
【０１０７】
開閉速度検出部１３および操作部１５は、第６の実施形態のものと同じである。操作部１５が押下されている期間において、制御部１０は、開閉速度検出指示信号を開閉速度検出部１３に供給する。なお、操作部１５が押下されている期間以外は、開閉速度検出部１３への開閉速度検出指示信号の供給は行われない。
【０１０８】
制御部１０は、操作部１５が押下されている期間において、開閉速度検出部１３で検出された開閉速度の平均値を求め、この開閉速度の平均値に応じて、表示部３における表示の見え難さの制御を行う。
【０１０９】
図１７に、表示の見え難さの制御の一手順を示す。以下、図１６および図１７を参照して、制御部１０による表示の見え難さの制御を説明する。
【０１１０】
制御部１０は、操作部１５が押下された否かを判定する（ステップＳ６０）。操作部１５が押下されると、制御部１０は、その押下されている期間において、開閉速度検出部１３にて開閉速度を検出させ、その開閉速度の平均値を求める（ステップＳ６１）。
【０１１１】
次に、制御部１０は、開閉速度／表示処理レベル対応テーブル１４ｂを参照して、ステップＳ６１で求めた開閉速度の平均値に対応するレベルを決定する（ステップＳ６２）。そして、制御部１０は、決定したレベルに対応する表示処理を表示部３にて実行させる（ステップＳ６３）。
【０１１２】
本実施形態の携帯情報端末においても、第５の実施形態と同様、開閉速度に応じて、表示の見え難さを変更することができる。
【０１１３】
例えば、他人による覗き見を完全に防止したい場合は、操作者は、操作部１５を押下して、開閉速度の平均値がＶ５以上となるように筐体１、２を開閉することで、表示内容が別の表示内容（他人に知られても良い情報）に切り替わる。ただし、この場合は、他人だけでなく、操作者自身も、別の表示内容を見ることになる。
【０１１４】
また、秘匿性の高い情報を表示しつつ、他人による覗き見を抑制させたい場合は、操作者は、操作部１５を押下して、開閉速度の平均値がＶ１以上、Ｖ３未満となるように筐体１、２を開閉する。この場合は、文字サイズの縮小や文字色の変更が実施される、または、画面の輝度が低下する。
【０１１５】
このように、操作者は、操作部１５の操作と筐体１、２の開閉操作によって表示の見え難さのレベルを簡単に切り換えることができる。
【０１１６】
開閉速度Ｖ１〜Ｖ５は、筐体１、２の開閉角度の範囲内において、操作者が実施し得る開閉速度の範囲で適宜に設定することができる。また、レベルＬ０〜Ｌ５およびその表示処理内容も、開閉速度の範囲に応じて適宜に設定することができる。
【０１１７】
また、開閉速度／表示処理レベル対応テーブル１４ｂは、開閉速度が速いほど、見え難さレベルが高くなるようになっているが、これとは反対に、開閉速度が遅いほど、見え難さレベルが高くなるように設定してもよい。
【０１１８】
また、図１７に示した制御手順では、開閉速度／表示処理レベル対応テーブル１４ｂを参照して開閉速度に応じたレベルを決定しているが、この処理に代えて、操作部１５が押下されるたびに、開閉速度（平均）が閾値以上（または閾値以下）であるいか否かを判定するようにし、開閉速度（平均）が閾値以上（または閾値以下）である場合に、見え難さのレベルを一段階上げる、または一段階下げるようにしてもよい。
【０１１９】
ただし、見え難さのレベルを一段階ずつ上げる場合において、レベルＬ５まで上げた後に、操作部１５が押下されて、開閉速度（平均）が閾値以上（または閾値以下）であると判定された場合は、レベルをＬ５からＬ０へ移行する。
【０１２０】
見え難さのレベルを一段階ずつ下げる場合において、レベルＬ０まで下げた後に、操作部１５が押下されて、開閉速度（平均）が閾値以上（または閾値以下）であると判定された場合は、レベルをＬ０からＬ５へ移行する。
【０１２１】
（他の実施形態）
本他の実施形態の携帯情報端末は、表示部を備えた第１の筐体と、第１の筐体と連結され、表示部が設けられた面とのなす角度である開閉角度が変更可能である第２の筐体と、第１および第２の筐体の開閉操作に応じて出力値が変化する検出手段と、検出手段の出力値が閾値以上の場合は、第１の表示処理を表示部に実行させ、出力値が閾値未満の場合には、第２の表示処理を表示部に実行させる制御部と、を有する。第１および第２の表示処理の一方は、表示部に表示されている情報を、他方の表示処理で表示した場合に比較して見え難くする処理を含む。
【０１２２】
上記の構成において、検出手段は、前述した各実施形態で説明した角度検出部１１または開閉速度検出部１３である。
【０１２３】
検出手段として角度検出部１１を用いた場合は、第１および第２の筐体の開閉角度が検出され、該開閉角度の検出値が閾値以上の場合に、第１の表示処理を表示部に実行させ、該開閉角度の検出値が閾値未満の場合には、第２の表示処理を表示部に実行させる。また、検出手段として開閉速度検出部１３を用いた場合は、第１および第２の筐体の開閉速度が検出され、該開閉速度の検出値が閾値以上の場合に、第１の表示処理を表示部に実行させ、該開閉速度の検出値が閾値未満の場合には、第２の表示処理を表示部に実行させる。いずれの場合も、第１および第２の表示処理の一方が、表示部に表示されている情報を、他方の表示処理で表示した場合に比較して見え難くする処理を含む。
【０１２４】
検出手段として開閉速度検出部１３を用いた構成において、第１および第２の筐体が取り得る開閉速度の範囲が複数の速度範囲に分割され、速度範囲毎に、見え難さの度合いが異なる表示処理の内容が設定されたテーブルを、さらに有してもよい。この場合は、制御部は、開閉速度検出部１３にて検出された開閉速度の平均値に対応する表示処理の内容をテーブルから取得し、該取得した表示処理の内容に従って表示部の表示を制御する。
【０１２５】
テーブルの表示処理の内容は、開閉速度が速いほど見え難さの度合いが高くなるように設定されてもよく、開閉速度が遅いほど見え難さの度合いが高くなるように設定されてもよい。
【０１２６】
制御部は、表示処理の切り替えを行った後は、該切り替えた表示処理による制御を、キーが再び押されるまで維持する。
以上説明した各実施形態の携帯情報端末は本発明の一例であり、その構成は、発明の趣旨を逸脱しない範囲で適宜に変更することができる。
【０１２７】
例えば、筐体１、２の双方に表示部を設けてもよい。この場合、制御部１０は、各表示部に対して前述した表示の見え難さの切り替え制御を行う。
【０１２８】
また、筐体１、２の双方に表示部を備える構成において、制御部１０は、一方の表示部に対して前述した表示の見え難さの切り替え制御を行い、他方の表示部に対しては、覗き見を防止するための威嚇や目を引く表示を行わせてもよい。
【０１２９】
さらに、制御部１０は、他方の表示部に比較して、一方の表示部の表示を見え難くするような制御を行ってもよい。
【０１３０】
また、前述した各実施形態の携帯情報端末では、筐体１、２の開閉操作に応じた開閉角度や開閉速度の変化を検出して表示処理を切り替えるようになっているが、筐体１、２の少なくとも一方の姿勢変化（開閉操作に伴う動作だけでなく、筐体を振る動作や筐体を前後に傾ける動作などを含む）を検出して表示処理を切り替えてもよい。
【０１３１】
具体的には、第６および第７の実施形態において、開閉速度検出部１３に代えて、姿勢変化検出手段を設ける。姿勢変化検出手段は、筐体１、２の少なくとも一方に設けられた加速度センサよりなる。加速度センサにより検出される加速度の方向は、検出対象となる姿勢変化（例えば、筐体を振る動作または筐体を前後に傾ける動作）に応じて適宜に設定する。この場合も、加速度センサの出力値と閾値の比較結果に基づいて、第６および第７の実施形態と同様の表示処理の切り替え制御を行う。
【０１３２】
上記の場合、例えば、操作者は、操作部を押下して、筐体１、２を振る、または、傾ける、といった簡単な操作を行うことで、表示を見え難くするための第２の表示処理を実行することができる。
【０１３３】
以上、実施形態を参照して本発明を説明したが、本発明は上述した実施形態に限定されるものではない。本発明の構成および動作については、本発明の趣旨を逸脱しない範囲において、当業者が理解し得る様々な変更を行うことができる。
【０１３４】
この出願は、２０１０年１月７日に出願された日本出願特願２０１０−００２０６６を基礎とする優先権を主張し、その開示の全てをここに取り込む。
【図１】
2011083782.tif 000003
【図２】
2011083782.tif 000004
【図３】
2011083782.tif 000005
【図４】
2011083782.tif 000006
【図５】
2011083782.tif 000007
【図６】
2011083782.tif 000008
【図７】
2011083782.tif 000009
【図８】
2011083782.tif 000010
【図９】
2011083782.tif 000011
【図１０】
2011083782.tif 000012
【図１１】
2011083782.tif 000013
【図１２】
2011083782.tif 000014
【図１３】
2011083782.tif 000015
【図１４】
2011083782.tif 000016
【図１５】
2011083782.tif 000017
【図１６】
2011083782.tif 000018
【図１７】
2011083782.tif 000019
【手続補正書】
【提出日】平成24年7月6日(2012.7.6)
【手続補正１】
【補正対象書類名】明細書
【補正対象項目名】００１６
【補正方法】変更
【補正の内容】
【００１６】
連結部４は、筐体１の表示部３が形成された面と、筐体２の、表示部３と対向する面とのなす角度である開閉角度を無段階もしくは段階的に変えることが可能であり、かつ、任意の開閉角度で筐体１、２を保持することが可能である。連結部４は、例えばヒンジより構成される。
【手続補正２】
【補正対象書類名】図面
【補正対象項目名】図１２
【補正方法】変更
【補正の内容】
【図１２】
2011083782.tif 000020
【国際調査報告】
2011083782.tif 000021
2011083782.tif 000022
2011083782.tif 000023